(57)【要約】【課題】体表面上の放射性汚染を検出する体表面モニタにおいて、検出感度を向上し、また様々な身長の被測定者に対応できるようにする。【解決手段】測定室１８は全体として縦長の菱形形状を有する。よって被検者の頭部に放射線検出器を近づけることができ、また被検者の下部に放射線検出器を近づけることができる。手部検出ユニット２６は貫通溝を有し、その中には手が差し込まれ、そこに対して放射線の測定が行われる。例えば最上部の放射線検出器Ｓ４を身長に応じてさらに傾けるようにすることもできる。また仕切壁３０内に設けられる放射線検出器を両面検出型の放射線検出器とすることができる。【選択図】図１
2004239919.tif 000002
【特許請求の範囲】
【請求項１】
入口開口から出口開口まで貫通した空洞を有し、その空洞が被測定者を収容する測定室として機能する本体と、
前記入口開口に設けられ開閉可能な入口扉と、
前記出口開口に設けられ開閉可能な出口扉と、
前記本体、前記入口扉及び前記出口扉に設けられ、前記測定室において立位の状態におかれた被測定者について、体表面からの放射線を検出する複数の放射線検出器と、
を含み、
前記本体には、
前記測定室に連通し、前記測定室に収容された被測定者の右手が上方から差し込まれる右手用溝と、
前記測定室に連通し、前記測定室に収容された被測定者の左手が上方から差し込まれる左手用溝と、
が形成され、
前記複数の放射線検出器には、
前記右手用溝に差し込まれた右手からの放射線を検出する右手用放射線検出器と、
前記左手用溝に差し込まれた左手からの放射線を検出する左手用放射線検出器と、
が含まれることを特徴とする体表面モニタ。
【請求項２】
請求項１記載の体表面モニタにおいて、
前記測定室内へ進入した被測定者は前記出口扉に対面し、その向きを変えることなくその状態で放射線の測定が行われることを特徴とする体表面モニタ。
【請求項３】
請求項２記載の体表面モニタにおいて、
前記右手用溝及び前記左手用溝は、前記空洞の貫通方向に貫通した溝であることを特徴とする体表面モニタ。
【請求項４】
請求項１記載の体表面モニタにおいて、
前記右手用放射線検出器として、前記右手用溝の一方側に設けられた右手一方面用放射線検出器と、前記右手用溝の他方側に設けられた右手他方面用放射線検出器と、が設けられ、
前記左手用放射線検出器として、前記左手用溝の一方側に設けられた左手一方面用放射線検出器と、前記左手用溝の他方側に設けられた左手他方面用放射線検出器と、が設けられたことを特徴とする体表面モニタ。
【請求項５】
請求項１記載の体表面モニタにおいて、
前記各放射線検出器はシンチレータ板を有する面状の放射線測定器であることを特徴とする体表面モニタ。
【請求項６】
入口開口から出口開口まで貫通した空洞を有し、その空洞が被測定者を収容する測定室として機能する本体と、
前記入口開口に設けられた開閉可能な入口扉と、
前記出口開口に設けられた開閉可能な出口扉と、
前記本体、前記入口扉及び前記出口扉に設けられ、前記測定室において立位の状態におかれた被測定者について、体表面からの放射線を検出する複数の放射線検出器と、
を含み、
前記本体には、
前記測定室に連通し、前記測定室に収容された被測定者の右手が上方から差し込まれる右手用溝と、
前記測定室に連通し、前記測定室に収容された被測定者の左手が上方から差し込まれる左手用溝と、
が形成され、
前記複数の放射線検出器には、
前記右手用溝と前記測定室との間の右側仕切壁に設けられ、両面において放射線の検出を行える右側用の両面型放射線検出器と、
前記左手用溝と前記測定室との間の左側仕切壁に設けられ、両面において放射線の検出を行える左側用の両面型放射線検出器と、
が含まれることを特徴とする体表面モニタ。
【請求項７】
請求項１記載の体表面モニタにおいて、
前記測定室内へ進入した被測定者は前記出口扉に対面し、その向きを変えることなくその状態で放射線の測定が行われることを特徴とする体表面モニタ。
【発明の詳細な説明】
【技術分野】
【０００１】
本発明は体表面モニタに関し、特に体表面モニタの構造に関する。
【背景技術】
【０００２】
体表面モニタは体表面用放射線測定装置として機能し、それは例えば原子力発電所、核燃料処理施設などに設置される。すなわち、放射線管理区域の出入口に体表面モニタが設置され、放射線管理区域に進入する作業者や放射線管理区域から退出する作業者に対して、その被曝管理のために放射線が測定される。
【０００３】
従来の体表面モニタは、一般に、本体、入口扉、出口扉などによって構成される。従来において、入口扉が開状態且つ出口扉が閉状態で、作業者は測定室内に進入し、その測定室内で作業者は９０度向きを変え、その正面に形成された右手用及び左手用の測定ユニット内に手を差し込む。その状態では入口扉が閉じられ、所定時間にわたって放射線が測定される。測定終了後には、出口扉が開放され、作業者は測定室から退出する。そして、出口扉が閉じられ、また入口扉が開かれる。この工程が作業者ごとに繰り返される。なお、特許第２８０７１６８号には、測定室内で向きを変えることなく測定を行える体表面モニタが開示されている。
【０００４】
従来の体表面モニタにおいては、空洞としての測定室は箱形あるいは矩形形状を有している。そして、その内面に複数の面状の放射線検出器が配置されている。一方、立位状態にある人体は大雑把にいって中間部分が膨らんで上下が絞られた外形を有する。よって、測定室内において作業者の測定を行う場合、どうしても作業者の上部及び下部が放射線検出器から離れがちとなる。その結果、検出効率あるいは感度の低下といった問題が生じる。
【０００５】
また、体表面モニタの中には、様々な身長の作業者に対応すべく、昇降運動する頭部検出器を有するものがある。しかし、測定室に閉じ込められた状態で、更に頭上付近に重量感ある頭部検出器が垂直下降して位置決めされると、かなりの心理的圧迫感が生じるという問題がある。
【０００６】
また、様々な身長に対応するためには身長に応じて手部検出器を昇降させることが望まれるが、その場合には装置構成が複雑化するという問題がある。
【０００７】
更に、測定室内で向きを変えずに、出口扉の内面に対面した状態で放射線の測定を行うことが望まれるが、その場合、出口扉に２つの手部検出器を配置することは困難であるという問題がある。
【０００８】
【特許文献１】実願昭５８−１８８３２３号（実開昭６０−９５５６７号）のマイクロフィルム
【特許文献２】特開平８−２４８１３４号公報
【特許文献３】特開平６−１８０３６６号公報
【発明の開示】
【発明が解決しようとする課題】
【０００９】
本発明の目的は、体表面モニタにおいて、検出感度を向上することにある。
【００１０】
本発明の他の目的は、心理的圧迫感をできるだけ解消することにある。
【００１１】
本発明の他の目的は、様々な身長の被測定者に対応できるようにすることにある。
【００１２】
本発明の他の目的は、装置コストを低減することにある。
【課題を解決するための手段】
【００１３】
（１）望ましい実施形態においては、入口開口から出口開口まで貫通した空洞を有し、その空洞が被測定者を収容する測定室として機能する本体と、前記入口開口に設けられた開閉可能な入口扉と、前記出口開口に設けられた開閉可能な出口扉と、前記本体、前記入口扉及び前記出口扉に設けられ、前記測定室内において前記出口扉に対面する立位の状態におかれた被測定者について、体表面からの放射線を検出する複数の放射線検出器と、を含み、前記測定室は、上部部分及び下部部分の少なくとも一方の左右幅が中間部分の左右幅よりも狭くなった形態を有することを特徴とする。
【００１４】
上記構成によれば、測定室の上部部分及び下部部分の少なくとも一方が内側へ絞られた形態を有するので、体表面に対して放射線検出器を近づけることができる。よって、感度を向上することができる。測定室の形態は、各種の身長及び各種の体型をカバーするように定められる。入口扉及び出口扉は１枚扉であってもよいし、２枚扉であってもよい。後者の場合には観音開き方式を採用するのが望ましい。
【００１５】
望ましくは、前記測定室の上部部分の左右幅は上方にかけて徐々に狭くされる。また望ましくは、前記測定室の下部部分の左右幅は下方にかけて徐々に狭くされる。望ましくは、前記測定室としての空洞はそれ全体としてほぼ菱形の形態を有する。菱形形状は、各種サイズの人体の外形をカバーしつつも、測定室の各内面を人体表面に近づけられる合理的な形態である。また、菱形形状は、単純矩形に比べて、形状自体に柔らかさがあり、親近感が生じやすいために、圧迫感の軽減という効果を期待できる。
【００１６】
望ましくは、前記本体は、前記測定室に臨む右上面、右下面、左上面、左下面及び床面を含み、前記複数の放射線検出器には、前記右上面に設けられた右上用放射線検出器と、前記右下面に設けられた右下用放射線検出器と、前記左上面に設けられた左上用放射線検出器と、前記左下面に設けられた左下用放射線検出器と、前記床面に設けられた床面放射線検出器と、前記入口扉の測定室に臨む内面に設けられた背面用放射線検出器と、前記出口扉の測定室に臨む内面に設けられた正面用放射線検出器と、が含まれる。放射線検出器が複数のセンサユニットによって構成されてもよいし、２つの放射線検出器が１つのセンサユニットによって構成されてもよい。
【００１７】
望ましくは、前記被測定者の身長に応じて、少なくとも１つの放射線検出器の姿勢を可変する姿勢可変手段が設けられる。望ましくは、前記右上用放射線検出器及び前記左上用放射線検出器の少なくとも一方は前記被測定者の身長に応じて前記測定室内へ傾斜運動する。望ましくは、前記右上用放射線検出器及び前記左上用放射線検出器はその下辺側を回転軸として傾斜運動する。頭部の位置が下がると、放射線検出器から頭部までの距離が減少する被測定者の身長に応じて、上部の放射線検出器の姿勢を変えて検出感度の向上を図るのが望ましい。
【００１８】
望ましくは、前記本体には、前記測定室に連通し、前記測定室に収容された被測定者の右手が上方から差し込まれる右手用溝と、前記測定室に連通し、前記測定室に収容された被測定者の左手が上方から差し込まれる左手用溝と、が形成され、前記複数の放射線検出器には、前記右手用溝に差し込まれた右手からの放射線を検出する右手用放射線検出器と、前記左手用溝に差し込まれた左手からの放射線を検出する左手用放射線検出器と、が含まれる。
【００１９】
上記構成によれば、両肩から両手を前方へ上げることなく、本人の左右に設けられた溝に手を差し込んで放射線の測定が行われる。一般的な体型では身長に応じて上腕を開く角度が異なることになるので、また、身長に応じて手の長さは長くなるので、２つの溝の高さを固定していても、様々な身長に対応できる。
【００２０】
（２）望ましい実施形態においては、入口開口から出口開口まで貫通した空洞を有し、その空洞が被測定者を収容する測定室として機能する本体と、前記入口開口に設けられた開閉可能な入口扉と、前記出口開口に設けられた開閉可能な出口扉と、前記本体、前記入口扉及び前記出口扉に設けられ、前記測定室内において前記出口扉に対面する立位の状態におかれた被測定者について、体表面からの放射線を検出する複数の放射線検出器と、を含み、前記複数の放射線検出器の中の少なくとも１つは、被測定者の身長に応じて前記測定室側への傾斜度を変化することが可能であることを特徴とする。
【００２１】
上記構成によれば、身長や体型に応じて放射線検出器の姿勢を変化させて、検出感度を向上することができる。身長などのデータは、被測定者が携帯するカードから読み取るようにしてもよいし、身長センサを入口開口付近又は測定室内に設けるようにしてもよい。
【００２２】
望ましくは、前記本体の内面は、右上面、右下面、左上面、左下面及び床面を含み、前記複数の放射線検出器には、前記右上面に設けられた右上用放射線検出器と、前記右下面に設けられた右下用放射線検出器と、前記左上面に設けられた左上用放射線検出器と、前記左下面に設けられた左下用放射線検出器と、前記床面に設けられた床面放射線検出器と、が含まれる。
【００２３】
望ましくは、前記右上用放射線検出器及び前記左上用放射線検出器の少なくとも一方はその下辺側を回転軸として傾斜運動する。この構成によれば、身長が高い者を測定する場合には右上用及び／又は左上用放射線検出器が退避しあるいは原姿勢になり、身長が低い者を測定する場合にはそれらの測定室側への傾斜度が大きくなり、頭部までの距離が短くなる。
【００２４】
（３）望ましい実施形態においては、入口開口から出口開口まで貫通した空洞を有し、その空洞が被測定者を収容する測定室として機能する本体と、前記入口開口に設けられた開閉可能な入口扉と、前記出口開口に設けられた開閉可能な出口扉と、前記本体、前記入口扉及び前記出口扉に設けられ、前記測定室において前記出口扉に対面する立位の状態におかれた被測定者について、体表面からの放射線を検出する複数の放射線検出器と、を含み、前記本体には、前記測定室に連通し、前記測定室に収容された被測定者の右手が上方から差し込まれる右手用溝と、前記測定室に連通し、前記測定室に収容された被測定者の左手が上方から差し込まれる左手用溝と、が形成され、前記複数の放射線検出器には、前記右手用溝に差し込まれた右手からの放射線を検出する右手用放射線検出器と、前記左手用溝に差し込まれた左手からの放射線を検出する左手用放射線検出器と、が含まれることを特徴とする。
【００２５】
望ましくは、前記右手用溝及び前記左手用溝は、前記空洞の貫通方向に貫通した溝である。溝が貫通していれば挿入時の不安感や圧迫感を軽減できる。貫通した溝は、測定時には両扉によってカバーされるのが望ましい。
【００２６】
（４）望ましい実施形態においては、入口開口から出口開口まで貫通した空洞を有し、その空洞が被測定者を収容する測定室として機能する本体と、前記入口開口に設けられた開閉可能な入口扉と、前記出口開口に設けられた開閉可能な出口扉と、前記本体、前記入口扉及び前記出口扉に設けられ、前記測定室において前記出口扉に対面する立位の状態におかれた被測定者について、体表面からの放射線を検出する複数の放射線検出器と、を含み、前記本体には、前記測定室に連通し、前記測定室に収容された被測定者の右手が上方から差し込まれる右手用溝と、前記測定室に連通し、前記測定室に収容された被測定者の左手が上方から差し込まれる左手用溝と、が形成され、前記複数の放射線検出器には、前記右手用溝と前記測定室との間の右側仕切壁に設けられ、両面において放射線の検出を行える右側用の両面型放射線検出器と、前記左手用溝と前記測定室との間の左側仕切壁に設けられ、両面において放射線の検出を行える左側用の両面型放射線検出器と、が含まれることを特徴とする。
【００２７】
上記構成によれば、仕切壁の厚みを薄くでき、あるいは、放射線の検出を確実に行える。更に装置コストの低減という利点もある。
【００２８】
（５）本発明は、入口開口から出口開口まで貫通した空洞を有し、その空洞が被測定者を収容する測定室として機能する本体と、前記入口開口に設けられ開閉可能な入口扉と、前記出口開口に設けられ開閉可能な出口扉と、前記本体、前記入口扉及び前記出口扉に設けられ、前記測定室において立位の状態におかれた被測定者について、体表面からの放射線を検出する複数の放射線検出器と、を含み、前記本体には、前記測定室に連通し、前記測定室に収容された被測定者の右手が上方から差し込まれる右手用溝と、前記測定室に連通し、前記測定室に収容された被測定者の左手が上方から差し込まれる左手用溝と、が形成され、前記複数の放射線検出器には、前記右手用溝に差し込まれた右手からの放射線を検出する右手用放射線検出器と、前記左手用溝に差し込まれた左手からの放射線を検出する左手用放射線検出器と、が含まれることを特徴とする。
【００２９】
望ましくは、前記測定室内へ進入した被測定者は前記出口扉に対面し、その向きを変えることなくその状態で放射線の測定が行われる。望ましくは、前記右手用溝及び前記左手用溝は、前記空洞の貫通方向に貫通した溝である。望ましくは、前記右手用放射線検出器として、前記右手用溝の一方側に設けられた右手一方面用放射線検出器と、前記右手用溝の他方側に設けられた右手他方面用放射線検出器と、が設けられ、前記左手用放射線検出器として、前記左手用溝の一方側に設けられた左手一方面用放射線検出器と、前記左手用溝の他方側に設けられた左手他方面用放射線検出器と、が設けられる。望ましくは、前記各放射線検出器はシンチレータ板を有する面状の放射線測定器である。
【００３０】
本発明は、入口開口から出口開口まで貫通した空洞を有し、その空洞が被測定者を収容する測定室として機能する本体と、前記入口開口に設けられた開閉可能な入口扉と、前記出口開口に設けられた開閉可能な出口扉と、前記本体、前記入口扉及び前記出口扉に設けられ、前記測定室において立位の状態におかれた被測定者について、体表面からの放射線を検出する複数の放射線検出器と、を含み、前記本体には、前記測定室に連通し、前記測定室に収容された被測定者の右手が上方から差し込まれる右手用溝と、前記測定室に連通し、前記測定室に収容された被測定者の左手が上方から差し込まれる左手用溝と、が形成され、前記複数の放射線検出器には、前記右手用溝と前記測定室との間の右側仕切壁に設けられ、両面において放射線の検出を行える右側用の両面型放射線検出器と、前記左手用溝と前記測定室との間の左側仕切壁に設けられ、両面において放射線の検出を行える左側用の両面型放射線検出器と、が含まれることを特徴とする。望ましくは、前記測定室内へ進入した被測定者は前記出口扉に対面し、その向きを変えることなくその状態で放射線の測定が行われる。
【発明の効果】
【００３１】
以上説明したように、本発明によれば、検出感度を向上できる。本発明によれば、心理的圧迫感を軽減できる。本発明によれば様々な身長に対応できる。
【発明を実施するための最良の形態】
【００３２】
以下、本発明の実施の形態を図面に基づいて説明する。
図１には、本発明に係る体表面モニタの好適な実施形態が示されており、図１はその概略的な斜視図である。
【００３３】
図１に示される体表面モニタは、例えば原子力発電所などに設置されるものであり、具体的には、放射線管理区域の出入口に設けられ、そこに入退出する作業者について体表面汚染を測定する装置である。
【００３４】
体表面モニタは、大別して、本体１０、入口扉１２、出口扉１４及びベース１６によって構成される。本体１０は、入口開口から出口開口にかけて形成された空洞としての測定室１８を有している。なお、図１において、Ｙ方向は作業者が進行する方向であり、Ｘ方向は作業者を基準として左右方向であり、Ｚ方向は高さ方向である。
【００３５】
空洞部としての測定室１８は、大別して３つの部分に区分される。すなわち、上部部分１８Ｈ、中間部分１８Ｍ及び下部部分１８Ｌに区分される。図１に示されるように、中間部分１８ＭがＸ方向に幅広になっており、上部部分１８Ｈは上方にかけて徐々にＸ方向の幅が狭くなっており、下部部分１８Ｌは下方にかけてＸ方向の幅が徐々に狭くなっている。よって、測定室１８は、その入口側から見て全体としてほぼ縦長の菱形形状を有している。この菱形形状は、およそ想定される作業者の身長及び体型に対応した形状であって、しかもできる限り、後述する放射線検出器を体表面に近づけることが可能な形態である。
【００３６】
測定室１８において、その中間部分１８ＭのＸ方向の左右端には、一対の手部検出ユニット２６が設けられている。手部検出ユニット２６は、測定室１８に連通した縦溝あるいはＶ字型溝としての溝２８を有している。この溝２８は、Ｙ方向に貫通した溝である。その溝２８内に右手あるいは左手が差し込まれ、その状態で手についての放射線の測定が行われる。溝２８と中間部分１８Ｍとの間には仕切壁３０が形成されており、その仕切壁３０には溝２８に臨んで放射線検出器Ｓ１０が設けられている。また、溝２８における放射線検出器Ｓ１０に対向する内面には放射線検出器Ｓ１１が設けられている。これらの放射線検出器Ｓ１０，Ｓ１１及び後に説明する各放射線検出器は面状の放射線検出器であり、具体的にはシンチレータ板及び複数の光電子増倍管などによって構成されている。
【００３７】
本体１０には、測定室１８に臨む面として２つの上部内面２２及び２つの下部内面２４が形成されている。上部内面２２は測定室１８側へ一定角度で傾斜しており、また下部内面２４も上方に開きつつ一定角度で傾斜している。
【００３８】
したがって、上述したように測定室１８はそれ全体として縦長の菱形形状を有している。なお、測定室１８は更に天井面及び床面を有しており、その床面には足の放射性汚染を測定するための放射線検出器Ｓ９が設けられている。測定時においては、作業者はこの床面上に直立し、両手をそれぞれの手部検出ユニット２６内に差し込んだ状態で放射線の測定が行われる。
【００３９】
さらに放射線検出器について説明すると、入口扉１２には、本実施形態において、上方から下方にかけて３つの放射線検出器Ｓ１〜Ｓ３が設けられている。また、２つの上部内面２２には上下に並んで２つの放射線検出器Ｓ４，Ｓ５が設けられている。また、２つの下部内面２４にはそれぞれ上下に並んで２つの放射線検出器Ｓ６，Ｓ７が設けられている。
【００４０】
もちろん、各放射線検出器の配置は一例であって、各種の配置手法を用いることができる。ただし、被測定者である作業者の体全体にわたって体表面汚染を測定できるように各放射線検出器を配置するのが望ましい。
【００４１】
図２には、図１に示した体表面モニタを上方から見た概略的な断面が示されている。図２に示される構成において、１８Ａは入口開口を示しており、１８Ｂは出口開口を示している。それぞれの開口には上述した入口扉１２及び出口扉１４が設けられる。図２においては、入口扉１２の回動中心が進入方向からみて左側に設定されているが、もちろんそれは右側であってもよい。これと同様に、出口扉１４の回動中心が入口から向かって右側に形成されているが、もちろんそれは左側であってもよい。また、入口扉１２及び出口扉１４が中央部から左右方向に開く観音開き方式の扉であってもよい。いずれにしても、これらの扉１２，１４によって測定室１８における２つの開口１８Ａ，１８Ｂを実質的に隠蔽することにより、バックグランドノイズを低減して、精度の良い体表面汚染検出が行える。なお、図２においては、各扉１２，１４が手部検出ユニット２６の全体をカバーする長さを有していないが、もちろんより大きな扉を設置し、各手部検出ユニット２６の全体が扉によって覆われるようにしてもよい。
【００４２】
図１に戻って、本実施形態において、仕切壁３０の頂点の高さは床面から例えば９０〜１００ｃｍの範囲内に設定され、望ましくは９５ｃｍである。また２つの溝２８の中心間距離は例えば６０〜１２０ｃｍであり、望ましくは９０ｃｍである。さらに、溝２８の深さは例えば３０〜４５ｃｍであり、望ましくは４０ｃｍである。さらに、床面から天井面までの高さは例えば２ｍであるが、もちろんそれ以外の値を採用してもよい。上部内面２２の垂直からの傾斜角度は例えば０〜８０°であり、望ましくは３５°である。下部内面２４の開いた傾斜角度は例えば０〜２０°であり、望ましくは１０°である。しかしながら、以上あげた各数値はいずれも一例であって、それ以外の値を採用することも可能である。たとえば、下部内面２４についてはその全部あるいは一部分を垂直面とするようにしてもよい。また上部内面２２についてもその全部あるいは一部分を垂直面とすることもでき、さらに傾斜角度を２段階あるいは複数段階に設定することも可能である。究極的には、縦長の楕円形状として測定室１８を構成することも可能である。ただし、本実施形態の形態によれば、比較的シンプルな形態を有し、しかも効率的な測定を行えるため、実用的価値がある。
【００４３】
次に動作について説明する。まず、出口扉１４が閉じられた状態において、入口開口側から作業者が測定室１８の内部へ進入し、床面上に起立する。その状態では作業者は出口扉１４の内面に対面することになる。またその状態において、両手が２つの手部検出ユニット２６内に差し込まれる。測定開始に先だって、入口扉１２が閉じられる。そしてその閉じられた時点から所定時間にわたって放射線の測定が実行される。
【００４４】
放射線測定が完了すると、出口扉１４のみが開かれ、これによって作業者は前方に退出することが可能となる。その後、出口扉１４が閉じられ、そして入口扉１２が開かれ、上記同様の工程が繰り替えし実行される。したがって、被測定者としての作業者は、測定室１８内部において向きを変える必要はないので、一人当たりの測定時間を短縮することが可能となる。また、特に作業者の上部及び下部においては放射線検出器が体表面に近づけられているため、検出感度を高められる。また、図１に示される測定室１８は菱形形状を有しており、しかもその測定室１８はある程度の高さをもって構成されているため、およそほとんどの作業者を収容して放射線測定を実施することが可能である。
【００４５】
本実施形態の体表面モニタにおいては、測定室１８の左右両端に手部検出ユニット２６が固定的に設けられている。しかし、手の長さは身長に概ね比例しており、そのような固定配置であっても格別問題は生じない。しかも、一般的に、身長の高い者の場合には、２つの上腕をそれほど開かなくても２つの手を手部検出ユニット２６内に差し込むことができ、その一方、身長が低い者の場合には２つの上腕をある程度開いて２つの手を手部検出ユニット２６に差し込むことになるので、そのような上腕の開きあるいは関節の屈曲角の違いといったものによって腕の長さの違い及び身長差を吸収あるいは調整できる。このために、手部検出ユニット２６が固定配置されていても、各種の身長に応じて両手についての放射線測定を確実に行える。ただし、必要に応じて手部検出ユニット２６を上下方向に可動にしてもよい。
【００４６】
図３には、体表面モニタの他の実施形態が示されている。図３において、測定室は全体として菱形形状を有する点は図１に示した構成と同様である。この図３に示す実施形態においては、仕切壁３０内に両面検出型の放射線検出器Ｓ２０が設けられている。すなわち、この放射線検出器Ｓ２０は、一方面及び他方面の両者にシンチレータ板を具備し、そこにより生じた発光を一対あるいはそれ以上の光電子増倍管によって検出するものである。独立した２つの放射線検出器を仕切壁３０に設けると、その仕切壁３０の厚みが必要以上に厚くなったりあるいはその配置自体が困難になるが、本実施形態によれば、このような両面検出型の放射線検出器を用いることによって上記の各問題点を解消することができる。
【００４７】
また、図３に示す実施形態においては、最上部に設けられている２つの放射線検出器Ｓ４が傾斜度を変化することが可能に構成されている。そのために姿勢可変機構としての傾斜機構３２が設けられている。被測定者としての作業者の身長が低い場合、傾斜機構３２が動作され、放射線検出器Ｓ４の傾き角度が増大される。これによって、主感度方向をできる限り被測定者の頭部に合わせることができるので、検出感度を高められる。もちろん、そのような傾斜角度は作業者の身長に応じて設定するのが望ましく、あるいは一定値より身長が低い場合には放射線検出器Ｓ４を傾けるようにしてもよい。作業者の身長が高い場合には、放射線検出器Ｓ４は原角度に戻され、その状態で放射線測定がなされる。
【００４８】
図３に示した実施形態においては、最上部の２つの放射線検出器Ｓ４のみについてその姿勢調整がなされていたが、もちろん身長あるいは体型に応じて他の放射線検出器の姿勢などを可変するようにしてもよい。いずれにしても放射線検出器をできる限り体表面に近づけることによって検出効率を高めることができる。
【００４９】
ちなみに、図３を示す実施形態においては、図１に示した下部内面に相当する面が垂直面と傾斜面とで構成されているが、測定室全体としては菱形形状が維持されている。
【００５０】
上記説明においては、２つの放射線検出器Ｓ４が均等に傾斜していたが、一方のみを傾斜させるようにしてもよい。例えば、一方の放射線検出器Ｓ４が床面に対して平行（水平）になるまで傾斜させれば、より身長の低い者に対して頭部の検出感度を高められる。
【図面の簡単な説明】
【００５１】
【図１】本発明に係る体表面モニタの好適な実施形態を示す概略的な斜視図である。
【図２】図１に示す体表面モニタの横断面図である。
【図３】他の実施形態に係る体表面モニタの構成を示す概略図である。
【符号の説明】
【００５２】
１０  本体、１２  入口扉、１４  出口扉、１８  測定室（空洞部）、２６  手部検出ユニット、２８  溝、Ｓ１〜Ｓ１１，Ｓ２０  放射線検出器。
【図１】
2004239919.tif 000003
【図２】
2004239919.tif 000004
【図３】
2004239919.tif 000005